(57)【要約】      （修正有）【課題】限られた画面の表示領域において、ユーザーが画面内のある領域を拡張した場合に、ユーザーの求める最適な画面表示となる画像形成装置、表示方法およびプログラムを提供する。【解決手段】画面に表示されたアイコンを選択することで操作可能な画像形成装置であって、ユーザーが選択可能なアイコンを含む選択画面を表示する表示手段と、表示手段におけるユーザーの操作に基づき選択画面の表示を制御する制御手段とを備える。選択画面は、画像形成装置で実行されるアプリケーションの設定画面に遷移するための複数のアイコン２００ａ〜２００ｈを配置する第１領域２００と、画像形成装置の設定または状態を表示する第２領域２０１とを含む。制御手段は、第２領域２０１に表示される設定または状態に関する情報に基づいて、第１領域２００にアイコンを動的に配置する。【選択図】図４
2020154599.tif 000002
【特許請求の範囲】
【請求項１】
画面に表示されたアイコンを選択することで操作可能な画像形成装置であって、
ユーザーが選択可能な前記アイコンを含む選択画面を表示する表示手段と、
前記表示手段におけるユーザーの操作に基づき前記選択画面の表示を制御する制御手段とを備え、
前記選択画面は、
前記画像形成装置で実行されるアプリケーションの設定画面に遷移するための複数の前記アイコンを配置する第１領域と、
前記画像形成装置の設定または状態を表示する第２領域とを含み、
前記制御手段は、
前記第２領域に表示される設定または状態に関する情報に基づいて、前記第１領域に前記アイコンを動的に配置する、画像形成装置。
【請求項２】
前記第２領域に表示される設定または状態に関する情報と前記アイコンとを紐付ける紐付け情報を記憶する記憶手段をさらに備え、
前記制御手段は、
前記第２領域を拡張するユーザーの操作を受付けた場合、拡張した前記第２領域に表示される設定または状態に関する情報を表示し、
前記紐付け情報に基づいて、拡張した前記第２領域に表示される設定または状態に関する情報の表示にあわせて前記第１領域に前記アイコンを動的に配置する、請求項１に記載の画像形成装置。
【請求項３】
前記第２領域は、前記画像形成装置の設定または状態を変更するための選択マークを含む、請求項１または請求項２に記載の画像形成装置。
【請求項４】
前記記憶手段は、前記アイコンに関する情報として前記アイコンの利用頻度をアイコン利用頻度テーブルとして記憶し、
前記制御手段は、
前記第２領域を拡張するユーザーの操作を受付けた場合、前記紐付け情報と前記アイコン利用頻度テーブルとに基づいて、前記第１領域に前記アイコンを動的に配置する、請求項２に記載の画像形成装置。
【請求項５】
前記記憶手段は、各々の前記アイコンに属性値を付与して記憶し、各々の前記第２領域に表示される設定または状態に関する情報に属性値を付与して記憶し、
前記紐付け情報は、前記アイコンおよび前記第２領域に表示される設定または状態に関する情報に付与された属性値である、請求項２に記載の画像形成装置。
【請求項６】
前記記憶手段は、各々の前記アイコンに優先度の異なる属性値を付与して記憶し、各々の前記第２領域に表示される設定または状態に関する情報に優先度の異なる属性値を付与して記憶する、請求項５に記載の画像形成装置。
【請求項７】
前記属性値には、印刷属性と、スキャン属性と、設定属性とを含む、請求項５または請求項６に記載の画像形成装置。
【請求項８】
前記第１領域には、コピー機能、プリント機能、スキャン機能、ＦＡＸ機能、インターネットから接続したページを表示するブラウザ機能、外部記憶媒体を保存された内容を読み込んで印刷する外部記憶媒体印刷機能のそれぞれに対応した前記アイコンを配置可能である、請求項１〜請求項７のいずれか１項に記載の画像形成装置。
【請求項９】
前記第２領域には、ログイン情報、管理者設定情報、言語設定情報、トナー残量情報、給紙情報、通信情報、エコモード情報、およびジョブリスト情報のそれぞれに対応した前記第２領域に表示される設定または状態に関する情報を配置可能である、請求項１〜請求項８のいずれか１項に記載の画像形成装置。
【請求項１０】
前記制御手段は、前記第２領域に設けられた特定のボタンの操作を受付けることで前記第２領域の領域を拡張する、請求項１〜請求項９のいずれか１項に記載の画像形成装置。
【請求項１１】
前記制御手段は、
前記第２領域にトナー残量情報が表示された場合、前記第１領域に前記印刷属性を付与した前記アイコンを配置する、請求項７に記載の画像形成装置。
【請求項１２】
前記制御手段は、
前記第２領域にジョブリスト情報が表示された場合、前記第１領域に前記印刷属性を付与した前記アイコンを配置する、請求項７に記載の画像形成装置。
【請求項１３】
前記制御手段は、
前記第２領域に給紙情報が表示された場合、前記第１領域に前記印刷属性を付与した前記アイコンを配置する、請求項７に記載の画像形成装置。
【請求項１４】
前記制御手段は、
前記第２領域に通信情報が表示された場合、前記第１領域に前記設定属性を付与した前記アイコンを配置する、請求項７に記載の画像形成装置。
【請求項１５】
ユーザーが選択可能なアイコンを含む選択画面を表示する表示手段と、前記表示手段におけるユーザーの操作に基づき前記選択画面の表示を制御する制御手段とを備える画像形成装置において前記表示手段に前記アイコンを表示させる方法であって、
前記画像形成装置で実行されるアプリケーションの設定画面に遷移するための複数の前記アイコンを配置する第１領域と、前記画像形成装置の設定または状態を表示する第２領域とを含む前記選択画面を表示するステップと、
前記第２領域に表示される設定または状態に関する情報に基づいて、前記第１領域に前記アイコンを動的に配置するステップと含む、表示方法。
【請求項１６】
ユーザーが選択可能なアイコンを含む選択画面を表示する表示手段と、前記表示手段におけるユーザーの操作に基づき前記選択画面の表示を制御する制御手段とを備える画像形成装置に内蔵されたコンピュータに、
前記画像形成装置で実行されるアプリケーションの設定画面に遷移するための複数の前記アイコンを配置する第１領域と、前記画像形成装置の設定または状態を表示する第２領域とを含む前記選択画面を表示するステップと、
前記第２領域に表示される設定または状態に関する情報に基づいて、前記第１領域に前記アイコンを動的に配置するステップと、を実行させるためのプログラム。
【請求項１７】
Ｎ個の機能を有する画像形成装置であって、
前記画像形成装置を操作するタッチ式の表示部と、
前記表示部の表示を制御する制御部とを備え、
前記表示部は、
Ｎ個の機能のそれぞれに対応するアイコンをＭ個（Ｍ＜Ｎ）表示可能な第１領域と、
前記画像形成装置の設定または状態に関する情報を、ユーザーの入力により選択的に表示させる第２領域とを含み、
前記制御部は、
前記第２領域に表示される設定または状態に関する情報に対応した前記アイコンを選択的に前記第１領域に表示させる、画像形成装置。
【請求項１８】
前記第１領域に表示される前記アイコンに関する情報と、前記第２領域に表示される設定または状態に関する情報とを記憶する記憶手段をさらに備える、請求項１７に記載の画像形成装置。
【請求項１９】
前記第２領域には、前記画像形成装置１の設定または状態に関する情報を示す選択マークが表示され、
前記制御部は、前記選択マークがユーザーから押下されたことに基づいて、押下された前記選択マークに対応した前記アイコンを選択的に前記第１領域に表示させる、請求項１７または請求項１８に記載の画像形成装置。
【請求項２０】
前記第２領域は、ユーザーから前記第２領域の拡張の指示を受け付けた場合、前記制御部は、前記第２領域に表示される設定または状態に関する情報に対応したアイコンを選択的に前記第１領域に表示させる、請求項１７〜請求項１８のいずれかに記載の画像形成装置。
【請求項２１】
前記Ｍの個数は、前記第１領域の大きさに基づいて変動する、請求項１７〜請求項２０のいずれかに記載の画像形成装置。
【請求項２２】
前記Ｍの個数は、前記第１領域の大きさに基づく、請求項１７〜請求項２０のいずれかに記載の画像形成装置。
【発明の詳細な説明】
【技術分野】
【０００１】
本開示は、画面に表示されたアイコンを選択することで操作可能な画像形成装置、表示方法、およびプログラムに関する。
【背景技術】
【０００２】
近年、直感的に操作することができるタッチパネル技術を取り入れる電子機器が多く存在し、ユーザーの操作性を重視した電子機器の画面デザインが構築されている。この画面デザインを構築するために、様々なＵＩ(User Interface)フレームワークやライブラリが開発されている。
【０００３】
特許文献１では、タッチパネルを備えた装置において、ユーザーが片手で持った場合や両手で持った場合などの様々な把持スタイルに合わせて選択画面に表示される操作対象であるアイコンの位置を調整することができる技術が開示されている。具体的には、ユーザーの手が接触している選択画面の位置近くにアイコンを集合させるようにアイコンの位置を調整して、より操作性を向上させている。
【先行技術文献】
【特許文献】
【０００４】
【特許文献１】特許第５８１７７１６号公報
【発明の概要】
【発明が解決しようとする課題】
【０００５】
特許文献１に開示の技術は、タッチパネルを備えた装置において、把持スタイルに合わせて選択画面に表示されたアイコンの位置を調整することができる。しかしながら、ユーザーが特定のある情報を表示するためにアイコンが配置されている領域以外の領域を拡張することでアイコンを表示する領域が縮小した場合、当該特許文献１に記載の装置ではアイコンを一画面の中に同時に表示することができない。表示することができなかったアイコンは、現在表示されているページとは別のページに表示されることとなる。ユーザーが当該別のページに表示されるアイコンを選択するためには、別ページを表示する操作をする必要があり煩雑である。
【０００６】
本開示は係る実情に鑑み考え出されたものであり、その目的は限られた画面の表示領域において、ユーザーが画面内のある領域を拡張した場合に、ユーザーの求める最適な画面表示となる画像形成装置、表示方法、およびプログラムを提供することである。
【課題を解決するための手段】
【０００７】
本開示のある局面に従う画面に表示されたアイコンを選択することで操作可能な画像形成装置は、ユーザーが選択可能なアイコンを含む選択画面を表示する表示手段と、表示手段におけるユーザーの操作に基づき選択画面の表示を制御する制御手段とを備え、選択画面は、画像形成装置で実行されるアプリケーションの設定画面に遷移するための複数のアイコンを配置する第１領域と、画像形成装置の設定または状態を表示する第２領域とを含み、制御手段は、第２領域に表示される設定または状態に関する情報に基づいて、第１領域にアイコンを動的に配置する。
【０００８】
本開示のある局面に従う方法は、ユーザーが選択可能なアイコンを含む選択画面を表示する表示手段と、表示手段におけるユーザーの操作に基づき選択画面の表示を制御する制御手段とを備える画像形成装置において実行される方法である。表示手段に前記アイコンを表示させる方法であって、画像形成装置で実行されるアプリケーションの設定画面に遷移するための複数のアイコンを配置する第１領域と、画像形成装置の設定または状態を表示する第２領域とを含む選択画面を表示するステップと、第２領域に表示される設定または状態に関する情報に基づいて、第１領域にアイコンを動的に配置するステップと含む表示方法である。
【０００９】
本開示のある局面に従うプログラムは、ユーザーが選択可能なアイコンを含む選択画面を表示する表示手段と、表示手段におけるユーザーの操作に基づき選択画面の表示を制御する制御手段とを備える画像形成装置に内蔵されたコンピュータで実行されるプログラムである。画像形成装置で実行されるアプリケーションの設定画面に遷移するための複数のアイコンを配置する第１領域と、画像形成装置の設定または状態を表示する第２領域とを含む選択画面を表示するステップと、第２領域に表示される設定または状態に関する情報に基づいて、第１領域にアイコンを動的に配置するステップと、を実行させるためのプログラムである。
【００１０】
本開示のある局面に従うＮ個の機能を有する画像形成装置は、画像形成装置を操作するタッチ式の表示部と、表示部の表示を制御する制御部とを備え、表示部は、Ｎ個の機能のそれぞれに対応するアイコンをＭ個（Ｍ＜Ｎ）表示可能な第１領域と、画像形成装置の設定または状態に関する情報を、ユーザーの入力により選択的に表示させる第２領域とを含み、制御部は、第２領域に表示される設定または状態に関する情報に対応したアイコンを選択的に第１領域に表示させる。
【００１１】
本開示のある局面に従う方法は、画像形成装置を操作するタッチ式の表示部と、表示部の表示を制御する制御部とを備えるＮ個の機能を有する画像形成装置で実行される方法である。Ｎ個の機能のそれぞれに対応するアイコンをＭ個（Ｍ＜Ｎ）表示可能な第１領域を表示部に表示するステップと、画像形成装置の設定または状態に関する情報を、ユーザーの入力により選択的に表示させる第２領域を表示部に表示するステップと、第２領域に表示される設定または状態に関する情報に対応した前記アイコンを選択的に第１領域に表示させるステップを含む表示方法である。
【発明の効果】
【００１２】
本開示の画像形成装置では、第２領域に表示される設定または状態に関する情報の表示により第１領域にアイコンを表示することができるので、ユーザーが求める最適な画面表示を提供できる。
【図面の簡単な説明】
【００１３】
【図１】画像形成装置の全体構成を示す斜視図である。
【図２】画像形成装置１のハードウェア構成を示すブロック図である。
【図３】操作パネルに表示された選択画面の一例である。
【図４】第２領域の拡張に関する画面遷移の一例である。
【図５】第１領域の第２ページを表示する画面の一例である。
【図６】紐付け情報を記憶するテーブルを示す図である。
【図７】アイコンごとのユーザーの利用回数を記憶するテーブルを示す図である。
【図８】アイコンを動的に配置する画面遷移の一例である。
【図９】アイコンを動的に配置する処理を示すフローチャートである。
【図１０】優先度別に紐付け情報を記憶するテーブルを示す図である。
【図１１】実施の形態２においてアイコンを動的に配置することを示す画面遷移の一例である。
【図１２】実施の形態２においてアイコンを動的に配置する処理を示すフローチャートである。
【図１３】第２領域の拡張手段を示す画面の一例である。
【図１４】第２領域にジョブリストが表示された画面の一例である。
【図１５】第２領域に給紙情報が表示された画面の一例である。
【図１６】第２領域に通信情報が表示された画面の一例である。
【発明を実施するための形態】
【００１４】
以下、図面を参照しつつ、本開示に係る技術思想の実施の形態について説明する。以下の説明では、同一の部品には同一の符号を付してある。それらの名称及び機能も同じである。したがって、それらについての詳細な説明は繰り返さない。
［実施の形態１］
＜画像形成装置の全体構成＞
図１は、本実施の形態１に従う画像形成装置１の全体構成を示す図である。図１には、画像形成装置１の典型例として、スキャナ機能、コピー機能、ファクシミリ機能、ネットワーク機能、ＢＯＸ機能といった複数の機能が搭載された複合機（ＭＦＰ：Multi Function Peripheral）について例示する。
【００１５】
本実施の形態１に従う画像形成装置１は、原稿を光学的に読取って画像データを得るスキャナ２と、画像データに基づいて用紙上に画像を印刷するプリントエンジン６とを含む。画像形成装置１の本体上面には、スキャナ２に原稿を送るフィーダ４が配置され、下部には、プリントエンジン６に用紙を供給する複数の給紙部９が配置される。また、画像形成装置１の中央部には、プリントエンジン６によって画像を形成された用紙が排紙されるトレイ８を有する。
【００１６】
画像形成装置１の本体上面の前面側（ユーザが対向する側）には、表示面を有する操作パネル装置１０が装着されている。操作パネル装置１０は、画像形成装置１を操作するための装置である。
【００１７】
以下、本実施の形態１に従う詳細構造について、図を参照しつつ様々な局面から説明する。
＜画像形成装置のハードウェア構成＞
図２は、画像形成装置１のハードウェア構成を示すブロック図である。図２を参照して、画像形成装置１は、制御部１０１と、原稿読取部１０２と、印刷出力部１０３とＦＡＸ部１０４と、操作パネル装置１０と、ユーザー認証部１０６と、ネットワークＩ／Ｆ１０７と、近距離無線Ｉ／Ｆ１０８と、記憶装置１０９とを備える。制御部１０１から記憶装置１０９の各部は、バスを介して接続されている。
【００１８】
制御部１０１は、画像形成装置１全体を総括的に制御する。制御部１０１には、ＣＰＵ１０１１と、ＲＡＭ１０１２と、ＲＯＭ１０１３とが含まれる。ＣＰＵ１０１１は、ＲＯＭ１０１３等に保存されている動作プログラムを実行する。ＲＡＭ１０１２は、プログラムを実行する際の作業領域となるものであり、プログラムやプログラムを実行する際のデータ等を一時的に保存する。ＲＯＭ１０１３は、ＣＰＵ１０１が実行するプログラムやその他のデータを格納する。本実施の形態１において、制御部１０１は、ユーザーの操作に基づき操作パネル装置１０に表示される選択画面の表示を制御する制御手段として機能する。
【００１９】
原稿読取部１０２は、ユーザーが所定の領域にセットした原稿用紙を画像として読み込む。
【００２０】
印刷出力部１０３は、給紙カセットより給紙した用紙に電子写真方式にて形成した画像を転写し、転写後の用紙を後処理装置へ搬送する。
【００２１】
ＦＡＸ部１０４は、電話回線などの通信回線にて接続された他の機器との間でＦＡＸの送受信をする。
【００２２】
操作パネル装置１０は、表示部１０５１と操作部１０５２とを備える。表示部１０５１はＬＣＤ（Liquid crystal display）等の表示装置を備え、ユーザーに対しての情報を画面に表示する。本実施の形態１では、表示部１０５１は、ユーザーが選択可能なアイコンを含む選択画面を表示する表示手段として機能する。
【００２３】
操作部１０５２はユーザーからの入力操作の受け付けをする。操作部１０５２は、表示部１０５１の画面に重ねられて配置されたタッチパネル等の入力デバイスを備え、ユーザーの手が接触した画面上の位置を検出することにより、ユーザーの操作を受け付ける。触れられた位置の検出方式は、抵抗膜方式、静電気方式、光学方式のいずれの方式でもよく、またそれ以外の方式でもよい。
【００２４】
ユーザー認証部１０６は、あらかじめ登録されたユーザーの認証情報と合致する情報が、画像形成装置１を使用しているユーザーによって入力されたかを確認する。合致する認証情報が入力された場合、ユーザー認証部１０６は、画像形成装置１を使用しているユーザーが画像形成装置１に登録されている特定のユーザーと同一人であるとして認証する。これにより、ユーザーは画像形成装置１にログインすることができる。ユーザー認証の方式は、例えば、ＩＤとパスワードを用いた認証方式でもよいし、指紋もしくは顔画像を用いた生体認証方式でもよい。
【００２５】
ネットワークＩ／Ｆ１０７は、ネットワークを介して接続されたＰＣ（図示せず）および他の画像形成装置（図示せず）をはじめとする外部装置との間で各種の情報を送受信する。
【００２６】
近距離無線Ｉ／Ｆ１０８は、他の装置と近距離無線通信をする。
記憶装置１０９は、ハードディスク等からなり、プログラムや各種データ等を保存する。記憶装置１０９は、ジョブ記憶部１０９１と設定記憶部１０９２とを備える。ジョブ記憶部１０９１は、実行されたジョブの種類や日時などの画像形成装置１の設定または状態に関する情報を記憶する。設定記憶部１０９２は、表示部１０５１により表示されるアイコンに関する情報および画像形成装置１の設定または状態に関する情報を記憶する。画像形成装置１の設定または状態に関する情報とは、例えばユーザーのログイン情報、管理者設定情報、言語設定情報、トナー残量情報、給紙情報、通信情報、エコモード情報、およびジョブリスト情報などが含まれる。
＜操作パネル装置に表示された選択画面＞
図３は、操作パネル装置１０に表示された選択画面の一例を示す図である。選択画面とは、画像形成装置１が有する複数のアプリケーション（例えば、コピー機能、スキャン機能、ＦＡＸ機能など）を実行するために、各々のアプリケーションに対応するアイコンを操作パネル装置１０の画面に表示し、ユーザーに当該アイコンを選択させる画面である。選択画面は、画像形成装置１が表示する様々な画面の中で最も基本となる画面である。アイコンの種類は、画像形成装置１が有する機能の個数（Ｎ個）に対応して存在するが、Ｎ個よりも少なくてもよい。
【００２７】
従来の画像形成装置は、機能（例えば、コピー機能、スキャン機能、ＦＡＸ機能など）を選択する処理を、画面に隣接して設置された物理ボタンから受け付けていたが、本実施の形態１の画像形成装置１では、物理ボタンを介さず複数の機能をアイコン化して一覧で表示し、表示されたアイコンから機能選択をする処理を受け付けることができる。ただし、本実施の形態１に係る画像形成装置１においても図示しない物理ボタンによって機能の選択をすることができるものとし、物理ボタンを介して機能を選択する形式（以下、物理ボタン形式とする。）への切り替え方法は後述で説明する。
【００２８】
操作パネル装置１０が表示する選択画面は、画面を左右に分割して、図３に示す画面の右側を広く占有する第１領域２００と、画面の左側の棒状領域を占有する第２領域２０１の２つの領域を有する。第１領域２００には、各アプリケーションの設定画面に遷移するためのアイコン２００ａ〜２００ｈが配置されており、第２領域２０１には、画像形成装置１の設定または状態を表示するための選択マーク２０１ａ〜２０１ｄが配置されている。選択マーク２０１ａ〜２０１ｄは、画像形成装置１の設定または状態の情報を拡張した第２領域２０１に表示させるための操作ボタンである。例えば、選択マーク２０１ａは、ユーザーがログアウトをする際に使用される操作ボタンであって、当該選択マーク２０１ａを操作することで現在ログインしているユーザーの状態からログアウトするか否かの選択画面を拡張した第２領域２０１に表示させる。
【００２９】
選択マーク２０１ｂは、ログイン情報を表示するための操作ボタンであって、当該選択マーク２０１ｂを操作することで現在ログインしているユーザーのログイン情報を拡張した第２領域２０１に表示させる。選択マーク２０１ｃは、管理者設定情報を表示するための操作ボタンであって、当該選択マーク２０１ｃを操作することで現在設定されている管理者設定情報の詳細な設定情報を拡張した第２領域２０１に表示させる。選択マーク２０１ｄは、エコモード情報を表示するための操作ボタンであって、当該選択マーク２０１ｄを操作することで現在設定されているエコモードの詳細な情報を拡張した第２領域２０１に表示させる。なお、選択マーク２０１ａ〜２０１ｄを操作した場合、第１領域２００の表示領域に画像形成装置１の設定または状態に関する情報を表示してもよい。
【００３０】
アイコン２００ａ〜２００ｈは、画像形成装置１が有する様々なアプリケーションを実行するために配置されているアイコン群である。操作部１０５２は、アイコンが表示されている画面領域にユーザーの手が接触したとき、ユーザーがアプリケーションを選択したという操作を受け付ける。これにより、制御部１０１は、選択されたアイコンに対応するアプリケーションを実行するように制御する。すなわち、表示部１０５１が当該アプリケーションの設定画面へと遷移させる。第１領域２００に配置可能なアイコンの数は、画像形成装置１が有する機能の数（Ｎ個）よりも少ない数（Ｍ個）となる。
【００３１】
これらのアイコンがアプリケーションを実行させるためにあることに対して、選択マーク２０１ａ〜２０１ｄは、画像形成装置１の設定または状態に関する情報を表示するためにある。ユーザーがいずれかの選択マークを選択したとき、制御部１０１は、対応する画像形成装置１の設定または状態に関する情報を表示させる。このように選択画面は、アイコンが配置されている第１領域２００と、選択マークが配置されている第２領域２０１に分けられ、それぞれ異なる役割を有する。
【００３２】
以下、第１領域２００の各アイコンについて説明する。アイコン２００ａは、画像形成装置１にコピー処理をさせるためのアイコン（以下、コピーアイコンとする。）である。コピー処理とは、原稿読取部１０２にセットされた原稿用紙を読み取り、印刷出力部１０３によって読み取られた画像を給紙した用紙に転写して排出する処理である。アイコン２００ｂは、画像形成装置１にスキャン処理をさせるためのアイコン（以下、スキャンアイコンとする。）である。スキャン処理とは、原稿読取部１０２にセットされた原稿用紙を読み取り、データとして保存する処理である。
【００３３】
アイコン２００ｃは、ＦＡＸ部１０４にＦＡＸ処理をさせるためのアイコン（以下、ＦＡＸアイコンとする。）である。ＦＡＸ処理とは、ＦＡＸ部１０４によって実現されるＦＡＸの送受信をする処理である。アイコン２００ｄは、画像形成装置１にプリント処理をさせるためのアイコン（以下、プリントアイコンとする。）である。プリント処理とは、印刷出力部１０３によって、原稿読取部１０２が読み出した画像データ等を給紙した用紙に転写して排出する処理である。
【００３４】
アイコン２００ｅは、画像形成装置１に外部記憶装置との間で読み書き処理をさせるためのアイコン（以下、外部記憶装置アイコンとする。）である。外部記憶装置との読み書き処理とは、図示しないＵＳＢ（Universal Serial Bus）ポート等からＵＳＢメモリ等の外部記憶装置を画像形成装置１に接続し、外部記憶装置に保存されているファイルの読み出し処理や、外部記憶装置へのファイルの書き込み処理を行うことである。当該アイコンは、外部記憶媒体印刷機能に対応する。
【００３５】
アイコン２００ｆは、表示部１０５１が表示する選択画面を物理ボタン形式で機能の選択を受け付ける画面へと切り替えるアイコン（以下、選択画面切替アイコンとする。）である。物理ボタン形式に馴染みのあるユーザーにとっては当該形式の画面で操作することにより操作性を保つことができる。アイコン２００ｇは、画像形成装置１にウェブサイトを閲覧するためのブラウザ機能を実行、表示させるためのアイコン（以下、ブラウザアイコンとする。）である。画像形成装置１はネットワークＩ／Ｆ１０７を介してインターネットに接続し、ユーザーの要求するウェブサイトを当該ブラウザにより表示する。
【００３６】
アイコン２００ｈは、制御部１０１に記憶装置１０９内に記憶されたデータを読み出して表示させる処理をするためのアイコン（以下、ボックスアイコンとする。）である。ユーザーは、記憶装置１０９に記憶されたデータを選択し、当該データに基づいてプリント処理、ＦＡＸ処理することができる。
【００３７】
このような様々なアイコンを利用して対応するアプリケーションを選択することができる選択画面は、操作パネル装置１０を介して表示・操作するため、直感的な操作が可能である。例えば、ユーザー２０２がアイコンに触れ、触れたままドラッグすることでアイコンの位置を好みの位置に移動できたり、所定の領域をスワイプすることで画面の遷移をすることができたりする。
＜第２領域の拡張に関する画面遷移＞
図４は、第２領域２０１の拡張に関する画面遷移の一例である。図４（ａ）は、図３に示す基本的な選択画面である。ユーザー２０３は、第２領域２０１を選択し右にスワイプする。これにより、図４（ｂ）で示すように、第２領域２０１は拡張される。
【００３８】
スワイプによって拡張された第２領域２０１は、基本的な画像形成装置１の設定または状態に関する情報としてトナー残量情報２０１ｇを表示する。トナー残量情報を表示する第２領域２０１は、基本的な第２領域２０１に表示される設定または状態に関する情報を示す画面として機能し、トナー残量情報以外の全般的な情報についても表示する。全般的な情報には、選択マーク２０１ｂに隣接して示すログインユーザ名と、日時２０１ｈと、その他の画像形成装置１の設定または状態に関する情報へ画面遷移するための選択マーク２０１ａ、２０１ｅ、２０１ｆ、２０１ｃ、２０１ｄなどが含まれる。
【００３９】
選択マーク２０１ｅは、ジョブリスト情報を表示するための選択マークである。選択マーク２０１ｆは、給紙情報を表示するための選択マークである。選択マーク２０１ｃは、管理者設定情報を表示するための選択マークである。選択マーク２０１ｄは、エコモード情報を表示するための選択マークである。なお、本実施の形態１においては、言語設定情報と通信情報とについては、管理者設定画面に遷移した後に言語設定情報と通信情報とに対応する図示しない選択マークを選択した場合に、表示できるものとするが、あらかじめ第２領域２０１に設けられていてもよい。
【００４０】
ジョブリスト情報は、画像形成装置１が処理したジョブ、またはこれから処理するジョブをリスト形式で表示する。給紙情報は、各トレイに格納された印刷に使用される用紙の残量を表示する。管理者設定情報は、画像形成装置１自体の全般的な設定情報に関する設定画面を表示する。言語設定情報は、操作パネル装置１０で表示される言語の設定画面を表示する。通信情報は、画像形成装置１に無線または有線で接続されている他の機器の情報を表示する。
【００４１】
物理的な操作パネル装置１０の画面面積は一定であるため、第２領域２０１が拡張されたことに伴い、第１領域２００は縮小される。領域の縮小に伴い、第１領域２００に表示することのできるアイコンの数は減少する。第２領域２０１が拡張される前の図４（ａ）では第１領域２００に８個のアイコン２００ａ〜２００ｈを配置することができたのに対し、第２領域２０１が拡張された後の図４（ｂ）では第１領域２００に配置できるアイコン数が減少し、６個のアイコン２００ａ、２００ｂ、２００ｃ、２００ｅ、２００ｆ、２００ｇのみが配置されている。
【００４２】
すなわち、第２領域２０１の拡張前に第１領域２００の最も右端に配置されていた２００ｄおよび２００ｈは、第１領域２００の縮小により配置スペースが減少し配置することができないこととなっている。図５は、第１領域２００の第２ページを表示する画面の一例である。配置することができなかった２００ｄおよび２００ｈは、図５で示す第２ページに配置される。第２ページとは、図４（ｂ）で示す第１領域２００をスワイプすることで遷移することが可能な第１領域２００内の新たなページである。これに対して、図４（ｂ）で示すように第２領域２０１を拡張した時点で表示される第１領域２００のページは、第１ページである。これらのページは第１領域２００内のページであるため、第１ページから第２ページへページをめくることは、第２領域２０１へ影響を与えない。
【００４３】
ユーザーがトナーの残量を確認してからプリント処理をする場合を想定する。ユーザーは、トナー残量情報を表示するため、第２領域２０１を拡張する。すなわち、選択画面は、図４（ｂ）で示す画面となる。しかし、プリントアイコンは第１領域２００の第２ページに配置されているため、ユーザーは第２ページを表示させるページめくり処理をする必要があり、煩雑である。そこで、本実施の形態１に係る画像形成装置１では、ユーザーが第２領域２０１を拡張させて第１領域２００を縮小させたとしても、ユーザーの操作性を低下させないように選択画面に表示させるアイコンの配置を動的に変更して最適な画面表示を提供する。以下に示す紐付け情報とユーザー利用回数とを使って、アイコンの配置を動的に変更する仕組みについて説明する。
【００４４】
紐付け情報とは、第１領域２００に表示する各アイコンと第２領域２０１に表示する各画像形成装置１の設定または状態に関する情報とを紐付けるための情報である。どのアイコンとどの画像形成装置１の設定または状態に関する情報が紐付けられるかは、アイコンと画像形成装置１の設定または状態に関する情報の関連性から決定される。すなわち、第２領域２０１を拡張して画像形成装置１の設定または状態に関する情報を表示している際に、表示している画像形成装置１の設定または状態に関する情報と関連性の高いアイコンを第１領域２００の第１ページに表示することで、煩雑なページめくり処理をすることを防ぐ。
【００４５】
次の図において、紐付け情報についての詳細を説明する。
＜紐付け情報を記憶するテーブル＞
図６は、紐付け情報を記憶するテーブルを示す図である。設定記憶部１０９２は、図６に示す紐付け情報に関するテーブルを記憶する。図６（ａ）は、第１領域２００に配置されるアイコンに関するテーブルである。図６（ｂ）は、第２領域２０１に表示される画像形成装置１の設定または状態に関する情報に関するテーブルである。
【００４６】
図６（ａ）には、アイコンごとに属性値が設定されている。属性値とは、アイコンと画像形成装置１の設定または状態に関する情報とを紐づけるため、各アイコンを所定の属性に振り分けるための値である。本実施の形態１のアイコンは、印刷属性、スキャン属性、設定属性の３種類の属性に振り分けられる。各アイコンに設定される属性値は、アイコンと属性値の関連性により決定する。例えば、コピー処理とプリント処理は、印刷を伴う処理であるため、コピーアイコンとプリントアイコンには印刷属性が設定されている。
【００４７】
図６（ｂ）には、第２領域２０１で表示する画像形成装置１の設定または状態に関する情報ごとに属性値が設定されている。図６（ｂ）で示す属性値は、アイコンに対して設定する属性値と同じものであり、属性値を設定する方法も画像形成装置１の設定または状態に関する情報と属性値の関連性により決定するため、同様である。すなわち、トナー残量情報や、給紙情報は印刷を行いたいユーザーが表示する可能性が高いので、トナー残量情報および給紙情報は、印刷属性が設定される。
【００４８】
これにより、表示された画像形成装置１の設定または状態に関する情報と同じ属性値を持つアイコンを第１ページに表示することで表示している画像形成装置１の設定または状態に関する情報と関連性の高いアイコンを他のアイコンよりも優先的に表示することになり、ユーザーが選択する可能性の高い最適なアイコンを第１ページに配置することができる。本実施の形態１では、アイコンと第２領域２０１に表示される画像形成装置１の設定または状態に関する情報の紐付ける方法として、属性値を採用しているが、他の方法により紐付けてもよい。
【００４９】
図６（ａ）で示すように複数のアイコンが、同一の属性値を持つ場合がある。この場合、１つの第２領域２０１に表示される画像形成装置１の設定または状態に関する情報から複数のアイコンが第１ページに表示されることとなり、それらのアイコンの間においての第１ページ内での表示順序は未確定である。
【００５０】
表示順序とは、第１ページの中で表示されるアイコンの並び順をいう。本実施の形態１における表示順序は、最も優先度の高いアイコンを第１領域２００上の左上に配置し、次に優先度の低いアイコンを順に右へと並べて配置している。右側へ配置する十分な領域がなくなったときに、最も優先度の高いアイコンの下方に、次のアイコンを配置し、再度優先度の低いアイコンの順に右へと並べていく。すなわち、図４（ｂ）で表示されている選択画面を参照したとき、アイコンの表示順序は、コピーアイコン、スキャンアイコン、ＦＡＸアイコン、外部記憶装置アイコン、選択画面切替アイコン、ブラウザアイコンである。コピーアイコンが最も優先度が高く、ブラウザアイコンが最も優先度の低い表示順序で配置されている。
【００５１】
表示順序は、動的な配置をするにおいて、さらにユーザーの操作性を向上させるために定める。第２領域２０１が拡張される度に紐付け情報により第１ページに関連性の高いアイコンを表示することは、動的な配置といえる。しかし、本実施の形態１においてはユーザーの操作性を考慮し、アイコンの表示順序を最適にして表示することまでをも動的に制御し配置する。
【００５２】
以下、アイコン間での表示順序の決定方法について具体的に説明する。ユーザーがトナー残量情報を表示した場合、図６（ｂ）に示すトナー残量情報の印刷属性と同一の属性値を持つアイコンが第１ページに表示されることとなる。印刷属性は、コピーアイコンと、ＦＡＸアイコンと、プリントアイコンとに設定されている。
【００５３】
複数のアイコンが優先的に第１ページに配置されることとなるが、アイコン間での表示順序については定められていない。すなわち、コピーアイコン、プリントアイコン、ＦＡＸアイコンの表示順序で配置してもよいし、プリントアイコン、ＦＡＸアイコン、コピーアイコンの表示順序で配置してもよいこととなる。
【００５４】
そこで、本実施の形態１においては、ユーザーがアイコンを利用した回数に基づいて、この表示順序を決定する。つまり、ログイン中のユーザーの各アイコンの利用回数を設定記憶部１０９２から読み出し、利用回数の高い順番でアイコンを配置する。これにより、ユーザーが利用する可能性の高い順番で、各アイコンを第１ページに配置することができ、ユーザーの求める最適な画面を提供することができる。
＜ユーザーの利用回数＞
図７は、アイコンごとのユーザーの利用回数を記憶するテーブルを示す図である。設定記憶部１０９２は、当該テーブルを記憶する。制御部１０１は、ユーザー認証部１０６によって認証ログインしたユーザーが、アプリケーションを実行する度に、当該アプリケーションに対応するアイコンの利用回数をカウントし、設定記憶部１０９２に書き込む。
【００５５】
図７の例では、設定記憶部１０９２は、ユーザーＡについて、ユーザーＡが登録された時から現在までの間に、コピーアイコンを５回、プリントアイコンを８０回、ＦＡＸアイコンを２０回、利用したことを記憶している。設定記憶部１０９２は、登録されたユーザーの数だけ各アイコンの利用回数を記憶する。また、設定記憶部１０９２は、図７で示すアイコンのみに限られずユーザーが選択し得る全てのアイコンについてのユーザーごとの利用回数を記憶する。
【００５６】
この図が示すユーザーの各アイコンの利用回数に基づいて、当該ユーザーがどのアイコンを利用する可能性が高いかを推定することができる。すなわち、過去の利用回数が多いアイコンは、再度利用される可能性が高いと推定できる。したがって、利用される可能性の高いアイコンを優先度の高い表示順序で配置することで、ユーザーの求める最適な画面を提供することができる。次に示す図で、紐付け情報と、ユーザーの利用回数に基づいたアイコンの動的な配置方法を具体的に説明する。
＜アイコンを動的に配置する画面遷移＞
図８は、アイコンを動的に配置する画面遷移の一例である。図８（ａ）は、第２領域２０１拡張前の選択画面を示す図であり、図４（ａ）で示す図と、同一の基本的な選択画面であるため、説明を繰り返さない。
【００５７】
図８（ｂ）は、第２領域２０１が拡張された後の画面であるが、紐付け情報とユーザーの利用回数に基づいてアイコンが動的に配置されている点が、図４（ｂ）で示す画面と相違している。拡張された第２領域２０１には、トナー残量情報が表示されている。制御部１０１は、設定記憶部１０９２に記憶されている図６（ｂ）に示すテーブルからトナー残量情報に設定されている属性値を読み出す。トナー残量情報には、印刷属性が設定されているため、制御部１０１は、同一の属性が設定されたアイコン、すなわち紐付けられたアイコンを、図６（ａ）に示すテーブルから取得し、他のアイコンに対して優先的に第１ページに表示する。したがって、コピーアイコン、ＦＡＸアイコン、プリントアイコンが優先的に表示される。
【００５８】
制御部１０１は、ログイン中のユーザーの各アイコンの利用回数を読み出す。選択マーク２０１ｂに隣接して示すログインユーザ名が示すようにログインしているユーザーは、ユーザーＢである。制御部１０１は、設定記憶部１０９２から、ユーザーＢの各アイコンの利用回数を読み出す。図７で示すように、ユーザーＢは、コピーアイコンを５０回、プリントアイコンを３０回、ＦＡＸアイコンを７０回利用している。そのため、表示順序は、利用回数の多い順からＦＡＸアイコン、プリントアイコン、コピーアイコンの順となる。
【００５９】
したがって、図８（ｂ）で示す第１領域２００の第１ページのアイコンは、左上からＦＡＸアイコン、コピーアイコン、プリントアイコンの表示順序で配置される。紐付け情報とユーザーＢの利用回数に基づき、ユーザーＢがトナー残量情報を表示したときに、次に選択される可能性の高いアイコンを優先的に配置したこととなり、ユーザーＢの求める最適な画面を提供する。ユーザーＢは、トナー残量を確認した後に、スムーズにＦＡＸアイコン、コピーアイコンまたはプリントアイコンのいずれかを選択することができる。
【００６０】
図８において、紐付け情報を用いてアイコンを配置した。しかし、アイコンの配置方法はその他の方法でもよい。例えば、第２領域２０１に表示される画像形成装置１の設定または状態に関する情報に対応したアイコンを選択的に第１領域２００に表示する。すなわち、紐付け情報を利用しなくても第２領域２０１に表示される画像形成装置１の設定または状態に関する情報に基づくことで、配置すべきアイコンの種類、位置を選択する。
【００６１】
また、本実施の形態１では第２領域２０１が拡張されたことで、第２領域に表示される画像形成装置１の設定または状態に関する情報が変更される。しかし、第２領域が固定の状態であることも考えられる。第２領域が拡大または縮小せずとも、第２領域に表示される画像形成装置１の設定または状態に関する情報がなんらかのユーザーの操作によって変更される場合、当該ユーザーの操作によって第１領域のアイコンが動的に配置されるものとしてもよい。
【００６２】
なお、これらのアイコンを配置した後のアイコンの配置方法は、本実施の形態１においては、紐付けらず優先的に配置されなかったアイコンのうち、図３で示す基本的な選択画面内のアイコンの表示順序が高いものから配置しているが、その他の方法で配置方法が定められてもよい。
＜アイコンを動的に配置する処理手順＞
図９は、アイコンを動的に配置する処理を示すフローチャートである。以下、フローチャートにしたがって、アイコンを動的に配置する処理を説明する。
【００６３】
制御部１０１は、第２領域２０１を拡張するユーザーの操作を受け付けたかを判断する（ステップＳ１）。第２領域２０１を拡張するユーザーの操作を受け付けていない場合（ステップＳ１でＮＯ）、ステップＳ１を繰り返す。第２領域２０１を拡張するユーザーの操作を受け付けた場合（ステップＳ１でＹＥＳ）、制御部１０１は、第１領域２００および第２領域２０１に表示データを保存する（ステップＳ２）。すなわち、制御部１０１は、選択画面が第２領域２０１拡張前の画面の状態に遷移したときに、同じ画面の状態を表示できるように所定の記憶領域に、表示しているデータを保存する。
【００６４】
制御部１０１は、第２領域２０１に表示される画像形成装置１の設定または状態に関する情報の紐付け情報（属性値）と同じ属性値を持つアイコンを取得する（ステップＳ３）。制御部１０１は、ユーザー利用回数に基づいて取得したアイコンの表示順序を決定する（ステップＳ４）。制御部１０１は、取得したアイコンを決定した表示順序で第１領域２００に配置して表示させる（ステップＳ５）。
【００６５】
制御部１０１は、第２領域２０１を縮小するユーザーの操作を受け付けたか判断する（ステップＳ６）。第２領域２０１を縮小するユーザーの操作を受けていない場合（ステップＳ６でＮＯ）、制御部１０１は、ステップＳ５へ戻る。第２領域２０１を縮小するユーザーの操作を受けた場合（ステップＳ６でＹＥＳ）、制御部１０１は、ステップＳ２で保存した表示データを表示する（ステップＳ７）。すなわち、第２領域２０１が拡張前の状態に戻ったので、画面の状態を拡張前と同じ状態にするためにあらかじめ保存していたデータに基づいて、画面の状態を復元する。
＜小括＞
以上のように、本実施の形態１に係る画像形成装置１は、画面に表示されたアイコンを選択することで操作可能な画像形成装置であって、ユーザーが選択可能なアイコンを含む選択画面を表示する表示部１０５１と、表示部１０５１におけるユーザーの操作に基づき選択画面の表示を制御する制御部１０１とを備える。選択画面は、画像形成装置１で実行されるアプリケーションの設定画面に遷移するための複数のアイコンを配置する第１領域２００と、画像形成装置１の設定または状態を表示する第２領域２０１とを含み、制御部１０１は、第２領域２０１に表示される設定または状態に関する情報に基づいて、第１領域２００に前記アイコンを動的に配置する。これによれば、本実施の形態１に係る画像形成装置１は、第２領域２０１に表示される設定または状態に関する情報に基づいて第１領域２００にアイコンを動的に配置することができるので、ユーザーが選択する可能性の高いアイコンを第１領域２００に表示することができ、ユーザーが求める最適な画面表示を提供できる。
【００６６】
また、第２領域２０１に表示される設定または状態に関する情報とアイコンとを紐付ける紐付け情報を記憶する設定記憶部１０９２をさらに備える。制御部１０１は、第２領域２０１を拡張するユーザーの操作を受付けた場合、拡張した第２領域２０１に表示される設定または状態に関する情報を表示し、紐付け情報に基づいて、拡張した第２領域２０１に表示される設定または状態に関する情報の表示にあわせて第１領域２００にアイコンを動的に配置してもよい。これによれば、本実施の形態１に係る画像形成装置１は、紐付け情報に基づいて第１領域２００のアイコンを動的に配置することができる。
【００６７】
さらに、第２領域は、画像形成装置１の設定または状態を変更するための選択マークを含んでもよい。これによれば、第２領域に表示される設定または状態を選択マークによって変更することができる。
【００６８】
また、設定記憶部１０９２は、アイコンに関する情報としてアイコンの利用頻度をアイコン利用頻度テーブルとして記憶し、制御部１０１は、第２領域２０１を拡張するユーザーの操作を受付けた場合、紐付け情報とアイコン利用頻度テーブルに基づいて、第１領域２００にアイコンを動的に配置する。これによれば、利用頻度テーブルに基づき表示順序を定めることで、ユーザーの選択する可能性の高いアイコンを選択しやすい位置に配置することができ、よりユーザーが求める最適な画面表示を提供できる。
【００６９】
さらに、設定記憶部１０９２は、各々のアイコンに属性値を付与して記憶し、各々の第２領域２０１に表示される設定または状態に関する情報に属性値を付与して記憶し、紐付け情報は、アイコンおよび第２領域２０１に表示される設定または状態に関する情報に付与された属性値である。これによれば、属性値を利用して紐付けすることで、アイコンと第２領域２０１に表示される設定または状態に関する情報の紐付け情報の管理が、容易になる。
［実施の形態２］
実施の形態１に係る画像形成装置１では、属性値とユーザーの利用回数に基づいて第１領域に配置するアイコンとそれらの表示順序を決定した。しかし、第２領域２０１に表示される設定または状態に関する情報に少数のアイコンしか紐付かない場合、関連するアイコンを幅広く取得できない場合がある。
【００７０】
そこで、本実施の形態２に係る画像形成装置では、属性値に優先度を付与することで、第２領域２０１に表示される設定または状態に関する情報と関連のあるアイコンを幅広く取得し第１領域２００に配置する。なお、実施の形態２に係る画像形成装置において、図１〜図５に示す実施の形態１に係る画像形成装置１と同じ構成については、同じ符号を付して詳細な説明を繰返さない。
【００７１】
属性値に優先度を付与するとは、１つのアイコンまたは１つの第２領域２０１に表示される設定または状態に関する情報に対して優先度が定められた複数の属性値を設定することを意味する。優先度は、他の属性値との関係を示すための基準である。本実施の形態２では、２つの属性値を設定し、それぞれ優先度が高い属性値、優先度が低い属性値として設定するが、３つ以上の属性値を設定し、それぞれに優先度を設定してもよい。
【００７２】
具体的な例を説明すれば、ＦＡＸアイコンは印刷との関連性が強いため、ＦＡＸアイコンの優先度の高い属性値には「印刷」が設定される。しかし、スキャンしたデータを用いてユーザーがＦＡＸを送信することも考えられる。したがって、印刷属性よりもＦＡＸアイコンとの関連性は低いが、「印刷」に次いで関連性が認められるスキャン属性は、ＦＡＸアイコンに優先度の低い属性値として設定される。すなわち、ＦＡＸアイコンには、優先度の高い印刷属性と、優先度の低いスキャン属性の２つの属性値が設定される。
【００７３】
同様に、第２領域２０１に表示される設定または状態に関する情報に対しても優先度を有する複数の属性値を設定する。具体的な例を説明すれば、画像形成装置１は、印刷出力部１０３に備えられているトナーを利用して印刷処理を行う。そのため、ユーザーが十分なトナー残量があることを確認してから印刷することが考えられる。したがって、第２領域２０１で表示できる画像形成装置１の設定または状態に関する情報の１つであるトナー残量情報は、印刷属性と高い関連性があるといえ、トナー残量情報には、優先度が高い属性値として印刷属性が設定される。
【００７４】
ユーザーがトナー残量情報を確認した後に、スキャン処理をする場合も考えられる。ユーザーはトナー残量が十分にあることを確認した後に、スキャン処理で読み取ったデータを用いて印刷する。単にコピー処理を行うのではなくコピーした書類をデータとして利用したい場合に、このような処理がされることが想定できる。しかし、トナー残量情報とスキャン処理の間には一定の関連性は認められるが、このような処理手順は必ずしも多く発生するとは言えず、高い関連性があるとは認められない。したがって、トナー残量情報には、優先度が低い属性値としてスキャン属性が設定される。
【００７５】
このように本実施の形態２では、１つのアイコンまたは第２領域２０１に表示される設定または状態に関する情報に対して優先度別の属性値を２つ設定することでアイコンと第２領域２０１に表示される設定または状態に関する情報を幅広く紐付けることができる。以下、次の図で本実施の形態２に係る紐付け情報を記憶する方法について説明する。
＜優先度別に紐付け情報を記憶するテーブル＞
図１０は、優先度別に紐付け情報を記憶するテーブルを示す図である。図１０（ａ）は、第１領域２００に配置されるアイコンに関するテーブルである。図１０（ｂ）は、第２領域２０１に表示される画像形成装置１の設定または状態に関する情報に関するテーブルである。
【００７６】
図１０（ａ）には、アイコンごとに優先度の高い属性値と優先度の低い属性値が設定されている。ＦＡＸアイコンには、優先度の高い印刷属性と、優先度の低いスキャン属性が設定されている。なお、コピーアイコンは印刷以外の属性値と関連がないため、優先度の低い属性値が設定されていない。
【００７７】
図１０（ｂ）には、第２領域２０１に表示される設定または状態に関する情報ごとに優先度の高い属性値と優先度の低い属性値が設定されている。トナー残量情報には、優先度の高い印刷属性と、優先度の低いスキャン属性が設定されている。なお、管理者設定情報は、設定以外の属性値と関連がないため、優先度の低い属性値が設定されていない。
＜アイコンを動的に配置することを示す画面遷移＞
図１１は、本実施の形態２においてアイコンを動的に配置することを示す画面遷移の一例である。図１１（ａ）は、第２領域２０１拡張前の選択画面を示す図であり、図４（ａ）で示す図と、同一の基本的な選択画面であるため、説明を繰り返さない。図１１（ｂ）は、本実施の形態２においての紐付け情報に基づいて動的にアイコンが配置された図である。
【００７８】
ユーザーは、トナー情報を確認するために第２領域２０１を拡張する。これにより、第２領域２０１に、トナー残量情報が表示される。制御部１０１は、第２領域２０１の拡張に伴い、設定記憶部１０９２からトナー残量情報に設定されている全ての属性値を読み出す。図１０（ｂ）で示すとおり、トナー残量情報には、優先度の高い印刷属性と、優先度の低いスキャン属性が設定されている。
【００７９】
はじめに制御部１０１は、トナー残量情報に設定されている優先度の高い印刷属性と同じ属性値が、優先度の高い属性値として設定されているアイコンを表示させる。すなわち、コピーアイコン、ＦＡＸアイコンおよびプリントアイコンが第１ページに配置される。次に、制御部はトナー残量情報に設定されている優先度の高い印刷属性と同じ属性値が、優先度の低い属性値として設定されているアイコンを表示させる。すなわち、ブラウザアイコンが第１ページに配置される。
【００８０】
次に、制御部１０１は、トナー残量情報に設定されている優先度の低いスキャン属性と同じ属性値が、優先度の高い属性値として設定されているアイコンを表示させる。すなわち、スキャンアイコン、外部記憶装置アイコンが第１ページに配置される。最後に、制御部１０１は、トナー残量情報に設定されている優先度の低いスキャン属性と同じ属性値が、優先度の低い属性値として設定されているアイコンを表示させる。すなわち、制御部１０１は、ボックスアイコンが第１ページに配置されるよう制御する。しかし、既に第１領域２００には、他のアイコンが配置されたことによりボックスアイコンを配置する領域がない。したがって、ボックスアイコンは第１ページに配置されず第２領域２０１に配置される。なお、ＦＡＸアイコンには、優先度の低い属性値に「スキャン」が設定されているが、既に配置されているため、対象とならない。
【００８１】
したがって、制御部１０１は、コピーアイコン、ＦＡＸアイコン、プリントアイコン、ブラウザアイコン、スキャンアイコン、外部記憶装置アイコンの表示順序で第１ページに配置する。これにより、トナー残量情報と関連性の高いコピーアイコン、ＦＡＸアイコン、プリントアイコンのみならず、一定の関連性を有するブラウザアイコン、スキャンアイコン、外部記憶装置アイコンについても第１ページに表示することができる。
＜実施の形態２においてのアイコンを動的に配置する処理手順＞
図１２は、実施の形態２においてアイコンを動的に配置する処理を示すフローチャートである。以下、フローチャートにしたがって、アイコンを動的に配置する処理を説明する。
【００８２】
制御部１０１は、第２領域２０１を拡張するユーザーの操作を受け付けたかを判断する（ステップＳ８）。第２領域２０１を拡張するユーザーの操作を受け付けていない場合（ステップＳ８でＮＯ）、ステップＳ８での処理を繰り返す。第２領域２０１を拡張するユーザーの操作を受け付けた場合（ステップＳ８でＹＥＳ）、制御部１０１は、第１領域２００および第２領域２０１の表示データを保存する（ステップＳ９）。すなわち、制御部１０１は、選択画面が第２領域２０１拡張前の画面の状態に遷移したときに、同じ画面の状態を表示できるように所定の記憶領域に、表示しているデータを保存する。
【００８３】
制御部１０１は、第２領域２０１に表示される画像形成装置１の設定または状態に関する情報の優先度が高い属性値と同じ属性値を優先度が高い属性値として設定されているアイコンを配置する（ステップＳ１０）。制御部１０１は、アイコンを配置可能な領域が第１領域２００に存在するか確認する（ステップＳ１１）。アイコンを配置可能な領域が第１領域２００に存在しない場合（ステップＳ１１でＮＯ）、表示部１０５１は、配置したアイコンを表示する（ステップＳ１８）。すなわち、第１領域２００に新たに新しく配置できるアイコンがないので新たなアイコンを取得する処理を終了する。
【００８４】
アイコンが配置可能な領域が第１領域２００に存在する場合（ステップＳ１１でＹＥＳ）、制御部１０１は、第２領域２０１に表示される画像形成装置１の設定または状態に関する情報の優先度が高い属性値と同じ属性値が優先度の低い属性値として設定されているアイコンを配置する（ステップＳ１２）。制御部１０１は、第２領域２０１に表示される画像形成装置１の設定または状態に関する情報に優先度が低い属性値が設定されているか確認する（ステップＳ１３）。第２領域２０１に表示される画像形成装置１の設定または状態に関する情報に優先度が低い属性値が設定されていない場合（ステップＳ１３でＮＯ）、表示部１０５１は、配置したアイコンを表示する（ステップＳ１８）。すなわち、第２領域２０１に表示される画像形成装置１の設定または状態に関する情報に設定されている属性値がこれ以上存在しないため、新たにアイコンを取得できず配置処理を終了する。
【００８５】
第２領域２０１に表示される画像形成装置１の設定または状態に関する情報に優先度が低い属性値が設定されている場合（ステップＳ１３でＹＥＳ）、制御部１０１は、アイコンを配置可能な領域が第１領域２００に存在するか確認する（ステップＳ１４）。アイコンが配置可能な領域が第１領域２００に存在しない場合（ステップＳ１４でＮＯ）、表示部１０５１は、配置したアイコンを表示する（ステップＳ１８）。
【００８６】
アイコンが配置可能な領域が第１領域２００に存在する場合（ステップＳ１４でＹＥＳ）、制御部１０１は、第２領域２０１に表示される画像形成装置１の設定または状態に関する情報の優先度が低い属性値と同じ属性値を優先度が高い属性値として設定されているアイコンを配置する（ステップＳ１５）。制御部１０１は、アイコンを配置可能な領域が第１領域２００に存在するか確認する（ステップＳ１６）。アイコンが配置可能な領域が第１領域２００に存在しない場合（ステップＳ１６でＮＯ）、表示部１０５１は、配置したアイコンを表示する（ステップＳ１８）。
【００８７】
アイコンを配置可能な領域が第１領域２００に存在する場合（ステップＳ１６でＹＥＳ）、制御部１０１は、第２領域２０１に表示される画像形成装置１の設定または状態に関する情報の優先度が低い属性値と同じ属性値が優先度の低い属性値として設定されているアイコンを配置する（ステップＳ１７）。表示部１０５１は、配置したアイコンを表示する（ステップＳ１８）。
【００８８】
制御部１０１は、第２領域２０１を縮小するユーザーの操作を受け付けたかを判断する（ステップＳ１９）。第２領域２０１を縮小するユーザーの操作を受け付けていない場合（ステップＳ１９でＮＯ）、ステップＳ１８を繰り返す。第２領域２０１を縮小するユーザーの操作を受け付けた場合（ステップＳ１９でＹＥＳ）、ステップＳ９で保存した表示データを表示する（ステップＳ２０）。すなわち、第２領域２０１が拡張前の状態に戻ったので、画面の状態を拡張前と同じ状態にするためにあらかじめ保存していたデータに基づいて、画面の状態を復元する。
［変形例］
上記実施の形態に係る画像形成装置１においての第２領域２０１の拡張手段の変形例を説明する。図１３は、第２領域２０１の拡張手段を示す画面の一例である。図１３（ａ）は、第２領域２０１拡張前の基本的な選択画面であり、図１３（ｂ）は、第２領域２０１拡張後の画面である。これらの画面については、図３または図４においての画面と同一であるため、説明を繰り返さない。
【００８９】
本変形例では、第２領域２０１の拡張方法が実施の形態１または２と相違する。図４（ａ）では、第２領域２０１を拡張する方法として、ユーザーは第２領域２０１の一部を右側にスワイプすることで、第２領域２０１を拡張していた。
【００９０】
本変形例では、拡張前の第２領域２０１下部に特定のボタンが設置されている。図１３（ａ）に示すように、ユーザーはそのボタン２０６をタッチすることで第２領域２０１を拡張することができる。すなわち、制御部１０１は、第２領域２０１に設けられた特定のボタンの操作を受け付けることで、第２領域２０１の領域を拡張する。これにより、本変形例は、第２領域２０１を拡張する操作としてスワイプ操作を知らないユーザーに対しても、第２領域２０１の拡張方法を直感的に示すことができる。
＜小括＞
以上のように、本実施の形態２に係る画像形成装置１は、設定記憶部１０９２は、各々のアイコンに優先度の異なる属性値を付与して記憶し、各々の第２領域２０１に表示される設定または状態に関する情報に優先度の異なる属性値を付与して記憶する。これによれば、本実施の形態２に係る画像形成装置１は、ユーザーが第２領域２０１を拡張することにより表示した画像形成装置１の設定または状態に関する情報と、関連のあるアイコンを幅広く取得し、第１領域２００に動的に配置することができる。
［実施例］
以下、本実施の形態で説明した構成を用いて、第２領域２０１に表示される画像形成装置１の設定または状態に関する情報に紐付けて第１領域２００にアイコンを動的に配置した選択画面の具体例を説明する。なお、以下の実施例では、実施の形態１で説明した図６の紐付け情報に基づいて第１領域２００にアイコンを動的に配置する例を説明するが、実施の形態２で説明した図１０の紐付け情報に基づいて第１領域２００にアイコンを動的に配置してもよい。
【００９１】
（１）  図１４は、第２領域２０１にジョブリストが表示された画面の一例である。図１４（ａ）は、ユーザーが第２領域２０１を拡張した後の画面であり、基本的な画像形成装置１の設定または状態に関する情報としてトナー残量情報が表示される。ユーザーがジョブリスト情報を表示するため、選択マーク２０１ｅを選択することで、第２領域２０１に表示している画像形成装置１の設定または状態に関する情報は、トナー残量情報からジョブリスト情報へと遷移する。第２領域２０１がジョブリスト情報を表示している画面の一例が、図１４（ｂ）である。
【００９２】
図６を参照して、ジョブリスト情報には印刷属性が設定されるため、制御部１０１は、印刷属性が設定されているアイコンを配置する。したがって、コピーアイコン、ファックスアイコン、プリントアイコンが他のアイコンよりも優先的に表示されている。これにより、ユーザーはジョブリスト情報を確認後、スムーズに印刷に関する処理をすることができる。
【００９３】
（２）  図１５は、第２領域２０１に給紙情報が表示された画面の一例である。図１５（ａ）は、ユーザーが第２領域２０１を拡張した後の画面であり、基本的な画像形成装置１の設定または状態に関する情報としてトナー残量情報が表示される。ユーザーが給紙情報を表示するため、選択マーク２０１ｆを選択することで第２領域２０１に表示している画像形成装置１の設定または状態に関する情報は、トナー残量情報から給紙情報へと遷移する。第２領域２０１が給紙情報を表示している画面の一例が、図１５（ｂ）である。
【００９４】
図６を参照して、給紙情報には印刷属性が設定されるため、制御部１０１は、印刷属性が設定されているアイコンを配置する。したがって、コピーアイコン、ファックスアイコン、プリントアイコンが他のアイコンよりも優先的に表示されている。これにより、ユーザーは給紙情報を確認後、スムーズに印刷に関する処理をすることができる。
【００９５】
（３）  図１６は、第２領域２０１に通信情報が表示された画面の一例である。図１６（ａ）は、ユーザーが第２領域２０１を拡張した後の画面であり、基本的な画像形成装置１の設定または状態に関する情報としてトナー残量情報が表示される。選択マーク２０１ｃより表示できる管理者設定情報を表示する画面に設けられた図示しない通信情報を表示するための選択マークをユーザーが選択することで、第２領域２０１に表示している画像形成装置１の設定または状態に関する情報は、通信情報を表示する画面へと遷移する。第２領域２０１が通信情報を表示している画面の一例が、図１６（ｂ）である。
【００９６】
設定画面から通信に関する様々な設定をすることができるため、通信情報は設定に関する処理と関連性が高い。よって、通信情報には図６で示されるテーブルに図示していないが、紐付け情報（属性値）として設定属性が設定される。制御部１０１は、設定属性が設定されているアイコンを配置する。したがって、ブラウザアイコンが他のアイコンよりも優先的に表示されている。
【００９７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９８】
１  画像形成装置、１０  操作パネル装置、１０１  制御部、１０２  原稿読取部、１０３  印刷出力部、１０４  ＦＡＸ部、１０６  ユーザー認証部、１０９  記憶装置、２００  第１領域、２００ａ  コピーアイコン、２００ｂ  スキャンアイコン、２００ｃ  ＦＡＸアイコン、２００ｄ  プリントアイコン、２００ｅ  外部記憶装置アイコン、２００ｆ  選択画面切替アイコン、２００ｈ  ブラウザアイコン、２００ｇ  ボックスアイコン、２０１  第２領域、２０１ａ〜２０１ｆ  選択マーク、２０１ｇ  トナー残量情報、２０１ｈ  日時、１０１２  ＲＡＭ、１０１３  ＲＯＭ、１０５１  表示部、１０５２  操作部、１０９１  ジョブ記憶部、１０９２  設定記憶部。
【図１】
2020154599.tif 000003
【図２】
2020154599.tif 000004
【図３】
2020154599.tif 000005
【図４】
2020154599.tif 000006
【図５】
2020154599.tif 000007
【図６】
2020154599.tif 000008
【図７】
2020154599.tif 000009
【図８】
2020154599.tif 000010
【図９】
2020154599.tif 000011
【図１０】
2020154599.tif 000012
【図１１】
2020154599.tif 000013
【図１２】
2020154599.tif 000014
【図１３】
2020154599.tif 000015
【図１４】
2020154599.tif 000016
【図１５】
2020154599.tif 000017
【図１６】
2020154599.tif 000018